(57)【要約】【課題】夜用ナプキン、多い時用ナプキンなど後部側が長く構成されたナプキンの装着に当たり、前記後部側を位置ズレやヨレさせることなくきっちりと固定できる生理用ショーツとする。【解決手段】前身頃１５、後身頃１６及びこれら両者間を繋ぐ股下部１７とからなり、ナプキン１が装着されて着用される生理用ショーツ１４において、前記ナプキン１の後部側を固定する後部固定手段３０を備える。後部固定手段３０としては、後身頃の内面側において股下側に開口するポケットを形成するように設けられた後部固定布３１、後部側を固定保持するために設けられた弾性紐部材３０Ａ、３０Ｂ、少なくとも股下部から後身頃にかけた内面側において、ショーツ中央に長手方向に沿って所定幅で設けられた吸収性物品の後部固定布３８などとする。【選択図】図６
2008079745.tif 000002
【特許請求の範囲】
【請求項１】
前身頃、後身頃及びこれら両者間を繋ぐ股下部とからなり、吸収性物品が装着された状態で着用される生理用ショーツにおいて、
前記吸収性物品の後部側を固定する後部固定手段を備えたことを特徴とする生理用ショーツ。
【請求項２】
前記後部固定手段は、後身頃の内面側において股下側に開口するポケットを形成するように設けられた後部固定布、又は股下部から後身頃にかけた内面側において、両側部に夫々、中央側に開口するポケットを形成するように設けられた左右一対の後部固定布である請求項１記載の生理用ショーツ。
【請求項３】
前記後部固定手段は、前記吸収性物品の後部側を固定保持するために設けられた弾性紐部材である請求項１記載の生理用ショーツ。
【請求項４】
前記後部固定手段は、少なくとも股下部から後身頃にかけた内面側において、ショーツ中央に長手方向に沿って所定幅で設けられた吸収性物品の後部固定布、又は後身頃の内面側に横方向に沿って所定幅で設けられた吸収性物品の後部固定布である請求項１記載の生理用ショーツ。
【請求項５】
前記弾性紐部材は一端がわ端部をショーツに対し面ファスナーによって着脱自在としてある請求項３記載の生理用ショーツ。
【請求項６】
前記後部固定布は、多数の開孔が形成されたネット状、メッシュ状の布シート又は弾性布シートが用いられている請求項２、４いずれかに記載の生理用ショーツ。
【発明の詳細な説明】
【技術分野】
【０００１】
本発明は、夜用ナプキン、多い時用ナプキンなど後部側が長く構成されたナプキンの後部固定機能を有する生理用ショーツに関する。
【背景技術】
【０００２】
従来より、生理用ナプキンやパンティライナーなどの吸収性物品が装着されて着用される生理用ショーツが販売されている。この生理用ショーツは通常のショーツと異なるのは付着した体液を落とし易いように、内面側のクロッチからヒップ側にかけて防水布が配設されてている点である。
【０００３】
現在、市販されている生理用ナプキンには、昼用ナプキン、夜用ナプキン、多い時用ナプキン、少ない時用ナプキンなど種々のものが存在する。また、ショーツへの固定を確実にするために、両側部にウイングを備え、クロッチ部分を巻き込むように折返して外面側に貼着することによりヨレやズレを抑えたナプキンも多く提供されている。
【０００４】
前記生理用ショーツにおいても、ウイング付きナプキンを横ずれさせることなく、安定的に装着するようにしたものが種々提案されている。
【０００５】
例えば、下記特許文献１では、 肌に接して着用される股部を有する衣料において、衣料本体の伸縮性クロッチ部片の内側面に、吸収性物品を当てがって保持するための第２のクロッチ部片が設けられており、前記第２のクロッチ部片は、その前後端縁部で衣料本体に取り付けられ、且つその中央ライン部の少なくとも一部で衣料本体のクロッチ部片に取付られており、前記第２のクロッチ部片の左右の両縁部は衣料本体と結合していないフリーの状態である股部構造を有するショーツが提案されている。
【０００６】
また、下記特許文献２では、ショーツの股布部の内側に、ナプキン装着用股布を有しており、上記ナプキン装着用股布は、幅がショーツの股布部の幅よりも狭い股布片と一対の弾性紐とからなり、該一対の弾性紐は、該股布片の長手方向の両側縁に沿ってそれぞれ固定され且つ該股布片の後側端からそれぞれの後端が延在している、上記股布片の前側端は、上記一対の弾性紐の前端と共に、ショーツの前身頃のウエスト部に固定されており、上記一対の弾性紐の後端は、ショーツの後身頃のウエスト部の両側縁部近傍に固定されている生理用ショーツが提案されている。
【特許文献１】特開２００１−５５６０２号公報
【特許文献２】特開平７−１３６２１４号公報
【発明の開示】
【発明が解決しようとする課題】
【０００７】
しかしながら、ウイング付きナプキンは、ウイングをクロッチ部分を巻き込むように折返して外面側に止着することによりヨレやズレを無くすことが可能であるが、特に夜用ナプキンや多い時用ナプキンのように後部側が長く構成されたナプキンの場合は、後部側が本体ズレ止め粘着剤による接着のみによって位置が固定されることになるため、身体の動きに伴って、後部側に位置ズレやヨレが生じることがあった。
【０００８】
そこで本発明の主たる課題は、夜用ナプキン、多い時用ナプキンなど後部側が長く構成されたナプキンの装着に当たり、前記後部側を位置ズレやヨレさせることなくきっちりと固定できるようにした生理用ショーツを提供することにある。
【課題を解決するための手段】
【０００９】
前記課題を解決するために請求項１に係る本発明として、前身頃、後身頃及びこれら両者間を繋ぐ股下部とからなり、吸収性物品が装着された状態で着用される生理用ショーツにおいて、
前記吸収性物品の後部側を固定する後部固定手段を備えたことを特徴とする生理用ショーツが提供される。
【００１０】
請求項２に係る本発明として、前記後部固定手段は、後身頃の内面側において股下側に開口するポケットを形成するように設けられた後部固定布、又は股下部から後身頃にかけた内面側において、両側部に夫々、中央側に開口するポケットを形成するように設けられた左右一対の後部固定布である請求項１記載の生理用ショーツが提供される。
【００１１】
請求項３に係る本発明として、前記後部固定手段は、前記吸収性物品の後部側を固定保持するために設けられた弾性紐部材である請求項１記載の生理用ショーツが提供される。
【００１２】
請求項４に係る本発明として、前記後部固定手段は、少なくとも股下部から後身頃にかけた内面側において、ショーツ中央に長手方向に沿って所定幅で設けられた吸収性物品の後部固定布、又は後身頃の内面側に横方向に沿って所定幅で設けられた吸収性物品の後部固定布である請求項１記載の生理用ショーツが提供される。
【００１３】
請求項５に係る本発明として、前記弾性紐部材は一端がわ端部をショーツに対し面ファスナーによって着脱自在としてある請求項３記載の生理用ショーツが提供される。
【００１４】
請求項６に係る本発明として、前記後部固定布は、多数の開孔が形成されたネット状、メッシュ状の布シート又は弾性布シートが用いられている請求項２、４いずれかに記載の生理用ショーツが提供される。
【発明の効果】
【００１５】
以上詳説のとおり本発明によれば、夜用ナプキン、多い時用ナプキンなど後部側が長く構成されたナプキンの装着に当たり、前記後部側を位置ズレやヨレさせることなくきっちりと固定できるようになる。その結果、位置ズレやヨレがなくなるため体液の漏れ防止が図れる、装着感の向上が図れる、更には吸収性物品の後部をきっちりと固定できるため、ショーツを穿く際に装着し易くなるなどの効果がもたらされるようになる。
【発明を実施するための最良の形態】
【００１６】
以下、本発明の実施の形態について図面を参照しながら詳述する。
【００１７】
〔参考的生理用ナプキン１の構造例〕
図１は生理用ナプキン１の展開図であり、図２は図１のII−II線矢視図、図３は図１のIII−III線矢視図である。
【００１８】
前記生理用ナプキン１は、所謂夜用ナプキンであって、ポリエチレンシートなどからなる不透液性バックシート２と、経血やおりものなどを速やかに透過させる透液性トップシート３と、これら両シート２，３間に介装された綿状パルプまたは合成パルプなどからなる吸収体４、６と、この吸収体４の形状保持および拡散性向上のために前記吸収体４を囲繞するクレープ紙５と、前記吸収体４の略側縁部を起立基端とし、かつ少なくとも体液排出部を含むように前後方向に所定の区間内において表面側に突出して設けられた左右一対の立体ギャザーＢＳ、ＢＳとから主に構成され、かつ前記吸収体４の周囲においては、その上下端縁部では前記不透液性バックシート２と透液性トップシート３との外縁部がホットメルトなどの接着剤やヒートシール等の接着手段によって接合され、またその両側縁部では吸収体４よりも側方に延出している前記不透液性バックシート２と、前記立体ギャザーＢＳを形成しているサイド不織布７とがホットメルトなどの接着剤やヒートシール等の接着手段によって接合され、これら不透液性バックシート２とサイド不織布７とによる積層シート部分によって側方に突出するウイング状フラップＷ、Ｗが形成されているとともに、これよりも臀部側に位置する部分に第２ウイング状フラップＷＢ、ＷＢが形成されている。
【００１９】
以下、さらに前記生理用ナプキン１の構造について詳述すると、
前記不透液性バックシート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記不透液性バックシート２の非使用面側（外面）には１または複数条の本体ズレ止め粘着剤層（図示せず）が形成され、身体への装着時に生理用ナプキン１を下着に固定するようになっている。前記不透液性バックシート２としては、プラスチックフィルムと不織布とを積層させたポリラミ不織布を用いてもよい。
【００２０】
次いで、前記透液性トップシート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法及びエアースルー法は嵩高でソフトである点で優れている。前記透液性トップシート３に多数の透孔を形成した場合には、経血やおりもの等（以下、まとめて体液という。）が速やかに吸収されるようになり、ドライタッチ性に優れたものとなる。
【００２１】
前記吸収体４は、上層吸収体４Ａと下層吸収体４Ｂとが積層された構造とされる。前記下層吸収体４Ｂは、吸収体配置領域の外縁を画成する平面形状を有し、前記上層吸収体４Ａは、幅方向中央部にナプキン長手方向に細長く区画される領域に、使用面側に高い吸収体の中高部６を形成するために配置される。この中高部６の厚みは、厚くし過ぎると吸収体４の剛性が上がり身体への密着性が低下するため３〜２５mm、好ましくは５〜１８mmとするのが好ましい。前記上層吸収体４Ａの周縁に沿ってその近傍外側部位置には周方向に閉合するエンボス８が付与されているとともに、エンボス９，１０、１１がそれぞれ形成されている。前記エンボス８は上層吸収体４Ａの位置ズレを防止するとともに、中高部６をきっちりと画成するために付与されたエンボスである。
【００２２】
前記上層吸収体４Ａは、少なくともパルプ繊維と合成繊維とを含むとともに、前記パルプ繊維：合成繊維との比率を重量換算で８０〜２０：２０〜８０、好ましくは４０〜６０：６０〜４０で混合したものが望ましい。
【００２３】
前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記合成繊維は、体液に対する親和性を有するように、疎水性繊維の場合には親水化剤によって表面処理したものを用いるのが望ましい。
【００２４】
前記上層吸収体４Ａは高吸水性樹脂を含有することができる。前記高吸収性樹脂としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸水性樹脂は製造プロセスにおいて、架橋密度および架橋密度勾配を調整することにより吸水力と吸水速度の調整が可能である。配合量は上層吸収体４Ａが下層吸収体４Ｂ側への浸透を促進する必要上、配合量を多くすると所謂ゲルブロッキング現象が起きるため、パルプ繊維及び合成繊維の合計重量に対して重量換算で１〜１０％の割合で配合するのが望ましい。なお、高吸水性樹脂含有率が５０％を超える場合にはパルプ繊維間の絡み合いが無くなり、シート強度が低下し破れや割れ等が発生し易くなるため望ましくない。
【００２５】
前記パルプ繊維は、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００２６】
一方、前記下層吸収体４Ｂは合成繊維を含有せず、パルプ繊維単独、或いはパルプ繊維と高吸水性樹脂との混合体とすることができる。下層吸収体４Ｂは透過性が重視されず、上層吸収体４Ａから浸透した体液を内部に保留し外部に滲み出さないように保持することが望ましいため合成繊維を含有しないようにする方がむしろ望ましい。また、高吸収性樹脂の含有率は、体液を吸収し保水するために、下層吸収体４Ｂを構成する繊維の全体重量に対して１〜２０重量％の割合で配合するのが望ましい。
【００２７】
一方、前記透液性トップシート３の幅寸法は、図示例では、図２および図３の横断面図に示されるように、吸収体４の幅よりも若干長めとされ、吸収体４を覆うだけに止まり、前記立体ギャザーＢＳは前記透液性トップシート３とは別のサイド不織布７、具体的には経血やおりもの等が浸透するのを防止する、あるいは肌触り感を高めるなどの目的に応じて、適宜の撥水処理または親水処理を施した不織布素材を用いて構成されている。かかるサイド不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１５〜２３g/m２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００２８】
前記サイド不織布７は、図２および図３に示されるように、幅方向中間部より外側部分を吸収体４の内側位置から吸収体側縁を若干越えて不透液性バックシート２の外縁までの範囲に亘ってホットメルトなどの接着剤によって接着し、これら前記サイド不織布７と不透液性バックシート２との積層シート部分により、ほぼ体液排出部に相当する吸収体側部位置に左右一対のウイングフラップＷ、Ｗを形成するとともに、これより臀部側位置に第２ウイング状フラップＷＢ、ＷＢを形成している。これらウイング状フラップＷ、Ｗおよび第２ウイング状フラップＷＢ、ＷＢの外面側にはそれぞれ粘着剤層１２…，１３…を備え、ショーツに対する装着時に、図４に示されるように、前記ウイング状フラップＷ、Ｗが折返し線ＲＬ近傍位置にて反対側に折り返し、ショーツのクロッチ部分に巻き付けて止着するようになっている。
【００２９】
一方、前記サイド不織布７の内方側部分はほぼ二重に折り返されるとともに、この二重シート内部に、その高さ方向中間部に両端または長手方向の適宜の位置が固定された糸状弾性伸縮部材１９が配設されるとともに、前記糸状弾性伸縮部材１９の上側部位に複数本の、図示例では２本の糸状弾性伸縮部材２０，２０が両端または長手方向の適宜の位置が固定された状態で配設されている。この二重シート部分は前後端部では図３に示されるように、断面Ｚ状に折り畳んで積層された状態で吸収体４側に接着されることによって、前記糸状弾性伸縮部材１９配設部位を屈曲点として、断面く字状に内側に開口を向けたポケットＰ、Ｐを形成しながら表面側に起立する立体ギャザーＢＳ、ＢＳが形成されている。
【００３０】
〔生理用ショーツ１４の構造〕
［基本構造］
本生理用ショーツ１４は、生理用ナプキンやパンティライナなどの吸収性物品が装着されて着用されるものであり、図５に示されるように、前身頃１５、後身頃１６及びこれら両者間を繋ぐ股下部１７とから構成される。これら前身頃１５、後身頃１６及び股下部１７は、綿布のように肌触り感及び通気性が良好で、かつエラストマー繊維を含み、縦及び横方向にある程度の伸縮性が付与された素材を使用するのが望ましい。
【００３１】
前記股下部１７は、前記前身頃１５、後身頃１６と同素材からなる外面布の内面側に防水布１８が重ねて縫い合わせられている。この防水布１８は、股間部と同形状を成し、側縁部及び前後部のそれぞれにおいて縫合され、非肌面側の面（隠れた内面側）に防水処理、例えばシリコン系、フッ素系の撥水剤を塗工することにより、或いはポリフッ化エチレン、ポリウレタン、ポリエチレン等の撥水性シートを積層することにより防水処理が成されている。近年は、ポリエチレンアミノ酸ウレタン重合体、ポリウレタン重合体、ポリテトラフルオロエチレン重合体を布帛にコーティング又はラミネートした透湿性防水布なども提供されている。本生理用ショーツ１４の防水布１８としては、極力、ムレを無くす観点から透湿性を有するものが好適に使用される。なお、ウエスト開口縁、レッグ開口縁には夫々弾性伸縮部材が配設されている。
【００３２】
前記ショーツ１４は、股下中央で前身頃１５と後身頃１６とが重ね合わされ、両側部同士が夫々接合されることにより製品化される。
［ナプキン１の後部固定手段］
本生理用ショーツ１４には、生理用ナプキン１の後部側を固定するために後部固定手段３０が設けられている。
【００３３】
以下、前記後部固定手段３０の各形態例について順に詳述する。
【００３４】
《第１形態例》
図５に示される第１形態例に係る後部固定手段３０は、後身頃１６の内面側において股下側に向けて開口するポケット（斜線領域）を形成するようにナプキン１の後部固定布３１を設けるようにしたものである。
【００３５】
前記後部固定布３１は、ウエスト側の側縁及び両側縁が後身頃１６を成す生地に縫合され、股下側のみを開口に形成したものであり、素材としては、ショーツ１４と同生地を用いて構成することもできるが、好ましくはショーツ生地よりも高い伸縮性を示す生地によって構成するのが望ましい。なお、同形態例では後身頃１６のほぼ全幅に亘って後部固定布３１を設けるようにしたが、ナプキン１の後部を無理なく収容し得る幅で後部固定布３１を設けるようにしてもよい。
【００３６】
ナプキン１を生理用ショーツ１４に装着するには、図６に示されるように、ウイング状フラップＷ、Ｗをクロッチ部に位置決めするようにしながらナプキン１をショーツ１４にあてがい、前記ウイング状フラップＷ、Ｗを折返し線ＲＬ近傍位置にて反対側に折り返し、ショーツのクロッチ部分に巻き付けて止着するとともに、ナプキン後部を後部固定布３１と後身頃１６との間のポケット内に差込むようにしながら、第２ウイング状フラップＷＢ、ＷＢの粘着剤層１３、１３を後身頃に止着する。
【００３７】
装着状態では、臀部からの圧迫を受けた後部固定布３１がナプキン後部をしっかりと押さえ付けて保持するため、ナプキン後部の位置ズレやヨレを防止することができるようになる。
【００３８】
ところで、前記後部固定布３１は、図７に示されるように、股下部１７から後身頃１６にかけた内面側において、両側部に夫々、中央側に開口するポケット（斜線領域）を形成するように左右一対の後部固定布３２Ａ、３２Ｂを設けるようにしてもよい。この場合は、ナプキン１の後部両側を夫々、後部固定布３２Ａ、３２Ｂと後身頃１６の生地との間のポケット内に差込むようにする。なお、図７(A)は後部固定布３２Ａ、３２Ｂの開口縁を長手方向に沿って平行に構成した例であり、図７(B)は後部固定布３２Ａ、３２Ｂの開口縁を傾斜させて構成した例である。
【００３９】
《第２形態例》
次いで、図８に示される第２形態例に係る後部固定手段３０は、前記ナプキン１の後部側を固定保持するために弾性紐部材を設けたものである。
【００４０】
同図８に示される第１例は、一端がレッグ開口縁に固定され、他端が後部ウエスト開口縁に固定された左右一対の弾性紐部材３３Ａ、３３Ｂとしたもので、前記弾性紐部材３３Ａ、３３Ｂは平面視で逆ハ状に配置されている。ナプキン１を生理用ショーツ１４に装着するには、同図に示されるように、ウイング状フラップＷ、Ｗをクロッチ部に位置決めするようにしながらナプキン１をショーツ１４にあてがい、前記ウイング状フラップＷ、Ｗを折返し線ＲＬ近傍位置にて反対側に折り返し、ショーツのクロッチ部分に巻き付けて止着するとともに、第２ウイング状フラップＷＢ、ＷＢの粘着剤層１３、１３を後身頃１６に止着したならば、前記弾性紐部材３３Ａ、３３Ｂによって第２ウイング状フラップＷＢ、ＷＢを押さえ付けるように固定する。
【００４１】
図９に示される第２例は、後身頃１６内に、一端を一方側脇部に固定するとともに、他端を他方側脇部に固定し水平方向に沿って弾性紐部材３４を配置したものであり、ナプキン１の後部を水平方向に沿って押さえ付けて固定する。また、図１０に示される第３例は、上記第１例と同様に、一端がレッグ開口縁に固定され、他端が後部ウエスト開口縁に固定された左右一対の弾性紐部材３５Ａ、３５Ｂとしたものであるが、前記弾性紐部材３５Ａ、３５Ｂを平面視で平行に配置した例である。更に、図１１に示される第４例は、弾性紐部材の一端がわ端部をショーツに対して面ファスナーによって着脱自在としたものである。具体的には、弾性紐部材３５Ａ、３５Ｂのウエスト側端部に雄／雌側面ファスナー３６を連結し、ウエスト開口縁近傍に雌／雄側面ファスナー３７を配設し、弾性紐部材３５Ａ、３５Ｂのウエスト側端部を任意の位置に固定可能としたものである。前記弾性紐部材３３Ａ、３３Ｂ、３５Ａ、３５Ｂに対しては、図１２に示されるように、第２ウイング状フラップＷＢ、ＷＢを巻き付けるように固定することも可能である。
【００４２】
《第３形態例》
図１３に示される第３形態例に係る後部固定手段３０は、少なくとも股下部から後身頃にかけた内面側において、ショーツ中央に長手方向に沿って所定幅で、ナプキン１の後部を折り返して固定するための後部固定布３８を設けたものである。
【００４３】
図１３に示される第１例は、前身頃ウエスト開口縁から後身頃ウエスト開口縁までのほぼショーツ全長に亘る範囲に、所定幅で後部固定布３８を配置し、前身頃ウエスト開口縁部及び後身頃ウエスト開口縁部においてショーツ１４に縫合したものである。前記後部固定布３８の幅は、概ねクロッチ幅よりも若干細くするのが望ましい。素材は、ショーツ１４と同生地を用いて構成することもできるが、好ましくはショーツ生地よりも高い伸縮性を示す生地によって構成するのが望ましい。なお、同形態例ではショーツ１４の全長に亘って後部固定布を設けるようにしたが、股下部１７から後身頃１６に亘る範囲に設けるようにしてもよい。
【００４４】
ナプキン１を生理用ショーツ１４に装着するには、図１３に示されるように、ウイング状フラップＷ、Ｗをクロッチ部に位置決めするようにしながらナプキン１をショーツ１４にあてがい、前記ウイング状フラップＷ、Ｗを折返し線ＲＬ近傍位置にて反対側に折り返し、後部固定布３８の裏面側またはショーツのクロッチ部分に巻き付けて止着するとともに、ナプキン後部において、第２ウイング状フラップＷＢ、ＷＢの両側部分を反対側に折返し、後部固定布３８の裏面側に粘着剤層１３、１３を止着するようにする。
【００４５】
次いで、図１４に示される第２例は、後身頃１６の内面側に、横方向に沿って所定幅の後部固定布３９を設けるようにした例である。この場合は、ナプキン１をショーツに配置した後、ウイング状フラップＷ、Ｗを折り返して固定し、後部側では後端部を後部固定布３９のウエストがわ側縁で折返すようにする。
【００４６】
〔他の形態例〕
(1)上記第１形態例及び第３形態例では、後部固定布３１，３８として、ショーツ１４と同生地、伸縮性の高い生地などによって構成するようにしたが、多数の開孔が形成されたネット状、メッシュ状の布シート又は弾性布シートを用いるようにしてもよい。蒸気を通しやすく蒸れ難いとともに、第３形態例の場合は、開孔を通して本体ズレ止め粘着剤層と、第２ウイング状フラップＷＢのズレ止め粘着剤層とが接着するため、よりズレ難くできる。
(2)上記各形態例では、ウイング状フラップＷ、Ｗを備えた生理用ナプキンを例に採り説明したが、ウイング状フラップＷ、Ｗを有しない夜用ナプキン、又は多い時用ナプキンであってもよい。
【図面の簡単な説明】
【００４７】
【図１】参考的生理用ナプキン１の展開図である。
【図２】図１のII−II線矢視図である。
【図３】図１のIII−III線矢視図である。
【図４】ナプキン１の装着状態を示すショーツ斜視図である。
【図５】第１形態例に係る後部固定手段３０（後部固定布３１）を示す、(A)はショーツ展開図、(B)は(A)のB-B線矢視図である。
【図６】第１形態例に係る後部固定手段（後部固定布３０）によるナプキン固定要領を示すショーツ展開図である。
【図７】(A)(B)は共に、第１形態例の第２例に係る後部固定布３２Ａ、３２Ｂ構成を示すショーツ展開図である。
【図８】第２形態例に係る後部固定手段３０（弾性紐部材３３Ａ、３３Ｂ）を示すショーツ展開図である。
【図９】第２形態例の第２例に係る後部固定手段３０（弾性紐部材３４）を示すショーツ展開図である。
【図１０】第２形態例の第３例に係る後部固定手段３０（弾性紐部材３５Ａ、３５Ｂ）を示すショーツ展開図である。
【図１１】第２形態例の第４例に係る後部固定手段３０（弾性紐部材３５Ａ、３５Ｂ）を示すショーツ展開図である。
【図１２】第２形態例に係る後部固定手段３０による他のナプキン固定要領を示すショーツ展開図である。
【図１３】第３形態例に係る後部固定手段３０（後部固定布３８）を示すショーツ展開図である。
【図１４】第３形態例の第２例に係る後部固定手段３０（後部固定布３９）を示すショーツ展開図である。
【符号の説明】
【００４８】
１…生理用ナプキン、２…不透液性バックシート、３…透液性トップシート、４…吸収体、４Ａ…上層吸収体、４Ｂ…下層吸収体、５…クレープ紙、６…中高部、７…サイド不織布、８〜１１…エンボス、ＢＳ…立体ギャザー、Ｗ…ウイング状フラップ、ＷＢ…臀部側ウイング状フラップ、１４…生理用ショーツ、１５…前身頃、１６…後身頃、１７…股下部、３０…後部固定手段、３１・３２Ａ・３２Ｂ…後部固定布、３３Ａ・３３Ｂ・３４・３５Ａ・３５Ｂ…弾性紐部材、３８・３９…後部固定布
【図１】
2008079745.tif 000003
【図２】
2008079745.tif 000004
【図３】
2008079745.tif 000005
【図４】
2008079745.tif 000006
【図５】
2008079745.tif 000007
【図６】
2008079745.tif 000008
【図７】
2008079745.tif 000009
【図８】
2008079745.tif 000010
【図９】
2008079745.tif 000011
【図１０】
2008079745.tif 000012
【図１１】
2008079745.tif 000013
【図１２】
2008079745.tif 000014
【図１３】
2008079745.tif 000015
【図１４】
2008079745.tif 000016